(57)【要約】【課題】簡易に使用者側の音声が通話相手先に聞こえないようにすることができる。【解決手段】本発明の通信装置は、通信部と、入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、通話を行う旨が入力されると、前記送話部から出力された前記送話信号を前記通信部に通話相手先へ送信させるとともに、前記通信部が前記通話相手先から受信した音声信号である受話信号を前記受話部に入力する制御部と、を有し、前記制御部は、通話状態において前記検出部の出力が物体が近接していない旨を示すものとなると、前記通信部による前記送話信号の送信を停止させる。【選択図】図１
2013219648.tif 000002
【特許請求の範囲】
【請求項１】
通信部と、
入力された音声を示す音声信号である送話信号を出力する送話部と、
入力された音声信号を再生する受話部と、
通話状態において使用者の頭部に近接する位置に設けられ、物体の近接の有無を検出し、検出結果を出力する検出部と、
通話を行う旨が入力されると、前記送話部から出力された前記送話信号を前記通信部に通話相手先へ送信させるとともに、前記通信部が前記通話相手先から受信した音声信号である受話信号を前記受話部に入力する制御部と、を有し、
前記制御部は、通話状態において前記検出部の出力が物体が近接していない旨を示すものとなると、前記通信部による前記送話信号の送信を停止させることを特徴とする通信装置。
【請求項２】
請求項１記載の通信装置において、
前記制御部は、前記送話信号の送信を停止させた後、前記検出部の出力が物体が近接している旨を示すものとなると、前記送話信号の送信の停止を解除することを特徴とする通信装置。
【請求項３】
請求項１または２記載の通信装置において、
前記制御部は、前記送話信号の送信を停止させた後、前記送話信号の送信の停止を解除する旨が入力されると、前記送話信号送信の停止を解除することを特徴とする通信装置。
【請求項４】
請求項１から３のいずれか１項に記載の通信装置において、
記憶部をさらに有し、
前記制御部は、通話状態において前記検出部の出力が物体が近接していない旨を示すものとなると、前記通信部から出力された受話信号を前記記憶部に記憶させることを特徴とする通信装置。
【請求項５】
請求項４記載の通信装置において、
前記制御部は、前記記憶部に前記受話信号の記憶を開始させた後、前記検出部の出力が物体が近接している旨を示すものとなると、前記記憶部に記憶されている受話信号を前記受話部に再生させることを特徴とする通信装置。
【請求項６】
請求項４または５記載の通信装置において、
前記制御部は、前記記憶部に前記受話信号の記憶を開始させた後、前記検出部の出力が物体が近接している旨を示すものとなると、前記受話信号の前記記憶部への記憶を停止させることを特徴とする通信装置。
【請求項７】
請求項５記載の通信装置において、
前記制御部は、前記受話部に前記記憶部に記憶されている受話信号の再生速度を上げて再生させることを特徴とする通信装置。
【請求項８】
請求項５記載の通信装置において、
前記制御部は、前記記憶部に記憶されている受話信号のうち、音量が所定値以下の区間を特定し、該特定した区間以外の受話信号を前記受話部に再生させることを特徴とする通信装置。
【請求項９】
入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、を有する通信装置の制御方法であって、
通話を行う旨が入力されると、前記送話部から出力された前記送話信号を前記通話相手先へ送信するとともに、前記通話相手先から受信した音声信号である受話信号を前記受話部に入力し、
通話状態において前記検出部の出力が物体が近接していない旨を示すものとなると、前記送話信号の送信を停止することを特徴とする通信装置の制御方法。
【請求項１０】
入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、を有する通信装置内のコンピュータに、
通話を行う旨が入力されると、前記送話部から出力された前記送話信号を前記通話相手先へ送信するとともに、前記通話相手先から受信した音声信号である受話信号を前記受話部に入力する処理と、
通話状態において前記検出部の出力が物体が近接していない旨を示すものとなると、前記送話信号の送信を停止する処理と、を実行させるプログラム。
【発明の詳細な説明】
【技術分野】
【０００１】
本発明は、通話機能を有する通信装置、通信装置の制御方法、および、プログラム
【背景技術】
【０００２】
携帯電話、スマートフォンなどの通話機能を備えた通信装置を用いて使用者が通話を行っている際中に、使用者が通話を中断して周囲の人と話すことがある。このとき、周囲の人と話している内容を通話相手先に聞かれたくない場合がある。このような場合、一般に、使用者は、通信装置のマイクロフォン部分を手で押さえて、通話相手先に話が聞こえないようにする。しかし、マイクロフォン部分を手で押さえるだけでは、通話相手先に話が漏れ聞こえる場合がある。
【０００３】
そこで、通話機能を備えた通信装置の中には、通話中に使用者が特定のボタンを押下するなどの所定の操作を行うことで、使用者側の音声が通話相手先に聞こえない送話ミュート状態とすることができるものがある。
【０００４】
また、特許文献１（特開２００９−１７７５５７号公報）には、第１の筐体と第２の筐体とがヒンジを介して接続され、第１の筐体と第２の筐体との間の角度が所定値以下になると、送話ミュート状態とする通信装置が開示されている。この通信装置によれば、使用者が第１の筐体と第２の筐体との間の角度が所定値以下となるように折り曲げることで、送話ミュート状態とすることができる。
【先行技術文献】
【特許文献】
【０００５】
【特許文献１】特開２００９−１７７５５７号公報
【発明の概要】
【発明が解決しようとする課題】
【０００６】
上述した所定の操作が行われることで送話ミュート状態となる通信装置においては、送話ミュート状態とするためには、通話中に特定のボタンを押下するなどの所定の操作を行う必要があるため、手間がかかるという問題がある。また、特許文献１に開示の通信装置においても、送話ミュート状態とするためには、第１の筐体と第２の筐体との間の角度が所定値以下となるように折り曲げたりする必要があるため、手間がかかるという問題がある。
【０００７】
本発明の目的は、簡易に使用者側の音声が通話相手先に聞こえないようにすることができる通信装置、通信装置の制御方法、および、プログラムを提供することにある。
【課題を解決するための手段】
【０００８】
上記目的を達成するために本発明の通信装置は、
通信部と、
入力された音声を示す音声信号である送話信号を出力する送話部と、
入力された音声信号を再生する受話部と、
通話状態において使用者の頭部に近接する位置に設けられ、物体の近接の有無を検出し、検出結果を出力する検出部と、
通話を行う旨が入力されると、前記送話部から出力された前記送話信号を前記通信部に通話相手先へ送信させるとともに、前記通信部が前記通話相手先から受信した音声信号である受話信号を前記受話部に入力する制御部と、を有し、
前記制御部は、通話状態において前記検出部の出力が物体が近接していない旨を示すものとなると、前記通信部による前記送話信号の送信を停止させる。
【０００９】
上記目的を達成するために本発明の通信装置の制御方法は、
入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、を有する通信装置の制御方法であって、
通話を行う旨が入力されると、前記送話部から出力された前記送話信号を前記通話相手先へ送信するとともに、前記通話相手先から受信した音声信号である受話信号を前記受話部に入力し、
通話状態において前記検出部の出力が物体が近接していない旨を示すものとなると、前記送話信号の送信を停止する。
【００１０】
上記目的を達成するために本発明のプログラムは、
入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、を有する通信装置内のコンピュータに、
通話を行う旨が入力されると、前記送話部から出力された前記送話信号を前記通話相手先へ送信するとともに、前記通話相手先から受信した音声信号である受話信号を前記受話部に入力する処理と、
通話状態において前記検出部の出力が物体が近接していない旨を示すものとなると、前記送話信号の送信を停止する処理と、を実行させる。
【発明の効果】
【００１１】
本発明によれば、簡易に使用者側の音声が通話相手先に聞こえないようにすることができる。
【図面の簡単な説明】
【００１２】
【図１】本発明の第１の実施形態の通信装置の要部構成を示すブロック図である。
【図２】図１に示す通信装置の動作を示すタイミングチャートである。
【図３】本発明の第２の実施形態の通信装置の要部構成を示すブロック図である。
【図４】図３に示す通信装置の外観斜視図である。
【図５】図３に示すタッチパネルに表示される操作画面の一例を示す図である。
【図６】本発明の第３の実施形態の通信装置の要部構成を示すブロック図である。
【図７】図６に示す通信装置の動作を示すタイミングチャートである。
【発明を実施するための形態】
【００１３】
以下に、本発明を実施するための形態について図面を参照して説明する。
【００１４】
（第１の実施形態）
図１は、本発明の第１の実施形態の通信装置１０の要部構成を示すブロック図である。なお、図１に示す各ブロックは特定のハードウェアまたはソフトウェアを指すとは限らず、また、特定の機能を有する概念的なブロックを指すこともある。
【００１５】
通信装置１０は、送話部１１と、受話部１２と、通信部１３と、近接センサー部１４と、制御部１５と、を有する。近接センサー部１４は、検出部の一例である。
【００１６】
送話部１１は、周囲の音声を入力とし、入力された音声を示す音声信号である送話信号を制御部１５に出力する。送話部１１の具体例としては、マイクロフォンがある。
【００１７】
受話部１２は、入力された音声信号を再生する。受話部の具体例としては、レシーバがある。
【００１８】
通信部１３は、制御部１５の制御に従い、送話部１１から出力された送話信号を通話相手先に送信するとともに、通話相手先から送信されてきた、通話相手先側における音声を示す音声信号である受話信号を受信し、制御部１５に出力する。
【００１９】
近接センサー部１４は、使用者が通話を行うために通信端末１０を保持した場合に、使用者の頭部に近接する位置に設けられている。近接センサー部１４は、物体の近接の有無を検出し、検出結果を出力する。
【００２０】
近接センサー部１４の具体例としては、光を出力し、その出力光の反射光の受信強度を検出し、その検出結果に基づいて物体の近接の有無を検出する反射型光電センサー、静電容量の変化に基づいて物体の近接の有無を検出する静電容量型近接センサーなどがある。なお、反射型光電センサーを近接センサー部１４として用いる場合には、出力光が不可視の近赤外光であることが望ましい。また、外光に影響されないように、出力光を変調し、その変調された出力光の反射光の受信強度のみを検出するのが望ましい。
【００２１】
また、近接センサー部１４としては、タッチセンサー、機械的スイッチなどを用いることもできる。タッチセンサーや機械的スイッチは、物体の近接ではなく、物体の接触を検出するものであるが、本実施形態においては、後述するように、通話状態において使用者の頭部が所定の距離以上離れているか否かに応じて処理が異なるため、タッチセンサーや機械的スイッチなどの物体の接触を検出するセンサーも近接センサー部１４として用いることができる。以下では、使用者の頭部が近接している状態とは、使用者の頭部が近接または接触している状態を指すものとする。
【００２２】
制御部１５は、図１においては不図示の操作部を介して通話を行う旨が入力されると、送話部１１から出力された送話信号を通信部１３に通話相手先へ送信させる。また、制御部１５は、通信部１３が通話相手先から受話信号を受信すると、その受話信号を受話部１２に入力する。また、制御部１５は、通話状態において、近接センサー部１４からの出力が物体が近接していない旨を示すものである場合には、送話信号の通話相手先への送信を停止させ、送話ミュート状態とする。
【００２３】
次に、通信装置１０の動作について図２に示すタイミングチャートを参照して説明する。
【００２４】
図２において、「通話」は通話状態であるか否かをＨｉｇｈ（上側）またはＬｏｗ（下側）で示している。「通話」がＨｉｇｈであれば通話状態であり、「通話」がＬｏｗであれば通話状態ではない。また、「近接」は近接センサー部１４に物体が近接している否かをＨｉｇｈまたはＬｏｗで示している。「近接」がＨｉｇｈであれば物体が近接している状態であり、「近接」がＬｏｗであれば物体が近接していない状態である。また、「ミュート」は送話ミュート状態であるか否かをＨｉｇｈまたはＬｏｗで示している。「ミュート」がＨｉｇｈであれば送話ミュート状態であり、「ミュート」がＬｏｗであれば送話ミュート状態ではない。
【００２５】
時刻Ｔ２１において、使用者が通話を行う旨を入力し、通話を行うために通信装置１０を保持したとする。通話を行う旨の操作入力が行われると、制御部１５は、各部を駆動させ、通信部１３に通話相手先との間の通信を確立させ、通話状態とする。
【００２６】
また、上述したように、近接センサー部１４は、使用者が通話を行うために通信装置１０を保持した場合に、使用者の頭部に近接する位置に設けられている。したがって、近接センサー部１４に使用者の頭部が近接しているので、近接センサー部１４は、物体が近接している旨を制御部１５に出力する。制御部１５は、近接センサー部１４の出力が物体が近接している旨を示すものであるため、送話部１１から出力された送話信号を通信部１３に入力し、通話相手先へ送信させる。すなわち、制御部１５は、近接センサー部１４の出力が物体が近接している旨を示すものである場合には、送話ミュート状態とはしない。
【００２７】
次に、時刻Ｔ２２において、使用者が通信装置１０を頭部から離したとする。使用者の頭部が所定の距離以上離れると、近接センサー部１４は、物体が近接していない旨を出力する。制御部１５は、近接センサー部１４の出力が物体が近接していない旨を示すものとなると、送話信号の通信部１３への入力を停止するなどして、送話信号が通話相手先に送信されないようにし、使用者側の音声が通話相手先に聞こえることがない送話ミュート状態とする。
【００２８】
次に、時刻Ｔ２３において、使用者が通信装置１０を頭部に再び近接させたとする。使用者の頭部が近接しているため、近接センサー部１４は、物体が近接している旨を出力する。制御部１５は、近接センサー部１４の出力が物体が近接している旨を示すものとなると、送話信号の通信部１３への入力の停止を解除し、送話部１１から入力された送話信号を通信部１３に入力し、通話相手先に送信させる。すなわち、制御部１５は、送話ミュート状態とした後、近接センサー部１４の出力が物体が近接している旨を示すものとなると、送話ミュート状態を解除する。
【００２９】
次に、時刻Ｔ２４において、使用者が通話を終了するために通信装置１０を頭部から離したとする。使用者の頭部が所定の距離以上離れると、近接センサー部１４は、物体が近接していない旨を出力する。制御部１５は、近接センサー部１４の出力が物体が近接していない旨を示すものとなると、送話ミュート状態とする。
【００３０】
次に、時刻Ｔ２５において、使用者あるいは通話相手先が通話を終了する旨を入力したとする。通話を終了する旨が入力されると、制御部１５は、通信部１３に通話相手先との通信を終了させ、通話状態を終了させる。また、送話ミュート状態も解除される。
【００３１】
このように本実施形態によれば、通信装置１０は、通話状態において、使用者の頭部が近接しているか否かを検出し、使用者の頭部が近接していない場合には、送話信号の通話相手先への送信を停止する。
【００３２】
そのため、通話状態において使用者が保持している通信装置１０を頭部から離すという簡易な動作だけで、送話ミュート状態とすることができる。
【００３３】
（第２の実施形態）
図３は、本発明の第２の実施形態の通信装置３０の要部構成を示すブロック図である。図３において、図１と同様の構成については同じ符号を付し、説明を省略する。
【００３４】
本実施形態の通信装置３０は、第１の実施形態の通信装置１０と比較して、表示部３１を追加した点と、制御部１５を制御部３３に変更した点と、が異なる。表示部３１は、通知部の一例である。なお、図３においては、図１においては記載を省略した操作部についても、操作部３２として記載している。
【００３５】
表示部３１は、制御部３３の制御に従い、種々の映像を表示する。
【００３６】
操作部３２は、使用者からの操作入力を受け付け、入力された操作内容に応じた信号を制御部３３に出力する。なお、操作部３２を使用者の指やスタイラスペンなどの接触または近接を検出するタッチパッドとし、表示部３１の表示面に重ね合わせて配置することで、表示部３１と操作部３２とが一体的に形成されたタッチパネルとすることができる。以下では、表示部３１と操作部３２とがタッチパネル３４を形成するものとして説明する。
【００３７】
制御部３３は、制御部１５の動作に加えて、タッチパネル３４に使用者が操作入力を行うための操作画面を表示させ、その操作画面に応じてタッチパネル３４を介して入力された操作内容に応じた処理を行う。
【００３８】
図４は、通信装置３０の外観斜視図である。
【００３９】
使用者が通話を行うために通信装置３０を保持した場合に、使用者の顔に対向する面上に、送話部１１と、受話部１２と、タッチパネル３４と、が設けられる。
【００４０】
送話部１１は、使用者が通話を行うために通信装置３０を保持した場合に、使用者の耳の近傍に位置するように配置されている。
【００４１】
受話部１２は、使用者が通話を行うために通信装置３０を保持した場合に、使用者の口の近傍に位置するように配置されている。
【００４２】
タッチパネル３４は、送話部１１と受話部１２との間に設けられている。
【００４３】
図４に示すように、近接センサー部１４は、送話部１１の近傍に設けられている。したがって、使用者が通話を行うために通信装置３０を保持した場合に、近接センサー部１４が使用者の耳の近傍に位置する。なお、近接センサー部１４は、通常、通信装置３０の筐体内に設けられており、外観上、視認することはできないが、図４においては、説明の便宜上、近接センサー部１４についても記載している。
【００４４】
次に、通信装置３０の動作について説明する。
【００４５】
制御部３３は、第１の実施形態の制御部１５と同様に、通話状態において近接センサー部１４の出力が物体が近接していない旨を示すものとなると、送話ミュート状態とする。さらに、本実施形態においては、制御部３３は、送話ミュート状態とすると、操作画面をタッチパネル３４に表示させる。
【００４６】
図５は、タッチパネル３４に表示される操作画面５０の一例を示す図である。
【００４７】
図５に示すように、タッチパネル３４は、操作画面５０として、送話ミュート状態である旨を使用者に通知する通知メッセージ５１と、送話ミュート状態を解除する旨を示すミュート解除ボタン５２と、通話を終了する旨を示す通話終了ボタン５３と、を含む操作画面を表示する。通知メッセージ５１を表示することで、使用者が意図せずに通信装置３０を頭部から離してしまい、送話ミュート状態になった場合などにも、送話ミュート状態になったことを使用者に通知することができる。
【００４８】
なお、近接センサー部１４の出力が物体が近接している旨を示すものである場合には、図４に示す通信装置３０の外観からも明らかなように、使用者がタッチパネル３４の表示を十分に見ることができないので、制御部３３は、操作画面をタッチパネル３４に表示させない。
【００４９】
制御部３３は、タッチパネル３４を介してミュート解除ボタン５２を選択する旨が入力されると、近接センサー部１４の出力が物体が近接していない旨を示すものであっても、送話信号の通話相手先への送信の停止を解除し、送話ミュート状態を解除する。また、制御部３３は、タッチパネル３４を介して通話終了ボタンを選択する旨が入力されると、通信部１３に通話相手先との通信を終了させ、通話状態を終了させる。また、送話ミュート状態も解除される。
【００５０】
このように本実施形態によれば、通信装置３０は、送話ミュート状態となると、送話ミュート状態である旨を使用者に通知する。
【００５１】
そのため、使用者の意図に反して送話ミュート状態になった場合などにも、送話ミュート状態になったことを使用者に気付かせることができる。
【００５２】
また、本実施形態によれば、通信装置３０は、送話ミュート状態において、送話ミュート状態を解除する旨が入力されると、近接センサー部１４の出力が物体が近接していない旨を示すものであっても、送話信号の通話相手先への送信の停止を解除する。
【００５３】
そのため、使用者が意図せずに通信装置３０を離してしまい、送話ミュート状態となっても、送話ミュート状態を解除する旨を入力することで、送話ミュート状態を解除することができる。また、近年の通信装置においては、使用者が通信装置を手に持たず、机などに置いたままで通話を行う、いわゆる、ハンズフリー通話が可能なものが多い。ハンズフリー通話を行う場合には、使用者の頭部が近接していない状態となるが、本実施形態のように、送話ミュート状態を解除する旨が入力されると、送話信号の通話相手先への送信の停止を解除することで、ハンズフリー通話も可能となる。
【００５４】
（第３の実施形態）
図６は、本発明の第３の実施形態の通信装置６０の要部構成を示すブロック図である。図６において、図３と同様の構成については同じ符号を付し、説明を省略する。
【００５５】
本実施形態の通信装置６０は、第２の実施形態の通信装置３０と比較して、記憶部６１を追加した点と、制御部３３を制御部６２に変更した点と、が異なる。
【００５６】
記憶部６１は、制御部６２の制御に従い、通信部１３が受信した受話信号を記憶する。
【００５７】
制御部６２は、第２の実施形態の制御部３３と同様の動作を行う。さらに、制御部６２は、通話状態において近接センサー部１４の出力が物体が近接していない旨を示すものとなると、通信部１３が受信した受話信号を記憶部６１に記憶させる。また、制御部６２は、記憶部６１に受話信号の記憶を開始させた後、近接センサー部１４の出力が物体が近接している旨を示すものとなると、記憶部６１に記憶されている受話信号を受話部１２に入力し、再生させる。
【００５８】
次に、通信装置６０の動作について図７に示すタイミングチャートを参照して説明する。
【００５９】
図７において、「表示」はタッチパネル３４に操作画面が表示されているか否かをＨｉｇｈまたはＬｏｗで示している。「表示」がＨｉｇｈであれば操作画面がタッチパネルに表示されている状態であり、「表示」がＬｏｗであれば操作画面がタッチパネルに表示されていない状態である。また、「録音」は受話信号の記憶部６１への記憶が行われているか否かをＨｉｇｈまたはＬｏｗで示している。「録音」がＨｉｇｈであれば受話信号の記憶部６１への記憶が行われている状態であり、「録音」がＬｏｗであれば受話信号の記憶部６１への記憶が行われていない状態である。また、「再生」は記憶部６１に記憶されている受話信号が再生されているか否かをＨｉｇｈまたはＬｏｗで示している。「再生」がＨｉｇｈであれば記憶部６１に記憶されている受話信号が再生されている状態であり、「再生」がＬｏｗであれば記憶部６１に記憶されている受話信号が再生されていない状態である。
【００６０】
時刻Ｔ７１において、使用者が通話を行う旨を入力し、通話を行うために通信装置６０を保持したとする。通話を行う旨が入力されると、制御部６２は、各部を駆動させ、通信部１３に通話相手先との間の通信を確立させ、通話状態とする。また、上述したように、近接センサー部１４は、使用者が通話を行うために通信装置１０を保持した場合に、使用者の頭部に近接する位置に設けられている。したがって、近接センサー部１４に使用者の頭部が近接しているので、近接センサー部１４は、物体が近接している旨を制御部６２に出力する。制御部６２は、近接センサー部１４の出力が物体が近接している旨を示すものであるため、送話部１１から入力された送話信号を通信部１３に出力し、通話相手先へ送信させる。すなわち、制御部６２は、近接センサー部１４の出力が物体が近接している旨を示すものである場合には、送話ミュート状態とはしない。また、制御部６２は、送話ミュート状態ではないため、タッチパネル３４に操作画面の表示を行わせず、また、記憶部６１に受話信号の記憶を行わせない。
【００６１】
次に、時刻Ｔ７２において、使用者が通信装置６０を頭部から離したとする。使用者の頭部と通信装置６０とが所定の距離以上離れると、近接センサー部１４は、物体が近接していない旨を出力する。制御部６２は、近接センサー部１４の出力が物体が近接していない旨を示すものとなると、送話信号が通話相手先に送信されないようにし、送話ミュート状態とする。また、制御部６２は、操作画面をタッチパネル３４に表示させる。また、制御部６２は、記憶部６１に通信部１３が受信した受話信号の記憶を開始させる。
【００６２】
次に、時刻Ｔ７３において、使用者が通信装置１０を頭部に再び近接させたとする。使用者の頭部が近接しているため、近接センサー部１４は、物体が近接している旨を出力する。制御部６２は、近接センサー部１４の出力が物体が近接している旨を示すものとなると、送話信号の通信部１３への入力の停止を解除し、送話部１１から入力された送話信号を通信部１３に入力し、通話相手先に送信させる。すなわち、制御部６２は、送話ミュート状態とした後、近接センサー部１４の出力が物体が近接している旨を示すものとなると、送話ミュート状態を解除する。また、制御部６２は、タッチパネル３４に操作画面の表示を停止させる。
【００６３】
さらに、制御部６２は、記憶部６１に記憶されている受話信号を受話部１２に入力し、再生させる。ここで、制御部６２は、受話信号に示される音声のうち、無音あるいは音量が所定値以下の区間を特定する。図７においては、区間７０１〜区間７０３は、受話信号に示される音声の音量が所定値よりも大きい区間、すわなち、音声信号が有効な区間であるとする。また、図７においては、区間７０４が受話信号に示される音声の音量が所定値以下の区間、すなわち、音声が無効な区間であるとする。制御部６２は、図７に示すように、音声が無効な区間７０４についてはスキップし、音声が有効な区間７０１から区間７０３について、受話部１２に順次再生させる。
【００６４】
時刻Ｔ７４において、記憶部６１に記憶されている音声信号のうち、最後の音声が有効な区間７０３の再生が終了すると、制御部６２は、記憶部６１に受話信号の記憶を終了させる。また、制御部６２は、受話部１２に記憶部６１に記憶されている受話信号の再生を停止させ、通信部１３が受信した受話信号を受話部１２に再生させる。音声が無効な区間をスキップして記憶部６１に記憶されている受話信号を再生することで、受話部１２から出力される音声を実時間の通話相手先の音声に追いつかせることができる。なお、音声が無効な区間をスキップする代わりに、記憶部６１に記憶されている受話信号の再生速度を上げるようにしてもよい。受話信号の再生速度を上げることで、受話部１２から出力される音声を実時間の音声に追いつかせることができる。
【００６５】
次に、時刻Ｔ７５において、使用者が通話を終了するために通信装置６０を頭部から離したとする。使用者の頭部と通信装置１０とが所定の距離以上離れると、近接センサー部１４は、物体が近接していない旨を出力する。制御部６２は、近接センサー部１４の出力が物体が近接していない旨を示すものとなると、送話ミュート状態とする。
【００６６】
次に、時刻Ｔ７６において、使用者あるいは通話相手先が通話を終了する旨を入力したとする。通話を終了する旨が入力されると、制御部６２は、通信部１３に通話相手先との通信を終了させ、通話状態を終了させる。また、送話ミュート状態も解除される。
【００６７】
このように本実施形態によれば、通信装置６０は、通話状態において、使用者の頭部が近接していない場合には、受話信号を記憶し、使用者の頭部が再び近接すると、記憶している受話信号を再生する。
【００６８】
そのため、通信装置６０を頭部から離した場合にも、通話相手先が話した内容を聞きのがすことがなくなる。
【００６９】
なお、上述した実施形態においては、受話部１２から出力される音声が実時間の通話相手先の音声に追いつくと、記憶部６１が受話信号の記憶を停止する例を用いて説明したが、これに限られるものではない。記憶部６１は、受話信号の記憶を開始した後、例えば、使用者が予め設定した所定時間だけ受話信号を記憶するようにしてもよい。
【００７０】
なお、本発明の入力装置１０にて行われる方法は、コンピュータに実行させるためのプログラムに適用してもよい。また、そのプログラムを記憶媒体に格納することも可能であり、ネットワークを介して外部に提供することも可能である。
【００７１】
上記の実施形態の一部または全部は、以下の付記のようにも記載されうるが、以下には限られない。
【００７２】
（付記１）
通信部と、
入力された音声を示す音声信号である送話信号を出力する送話部と、
入力された音声信号を再生する受話部と、
通話状態において使用者の頭部に近接する位置に設けられ、物体の近接の有無を検出し、検出結果を出力する検出部と、
通話を行う旨が入力されると、前記送話部から出力された前記送話信号を前記通信部に通話相手先へ送信させるとともに、前記通信部が前記通話相手先から受信した音声信号である受話信号を前記受話部に入力する制御部と、を有し、
前記制御部は、通話状態において前記検出部の出力が物体が近接していない旨を示すものとなると、前記通信部による前記送話信号の送信を停止させることを特徴とする通信装置。
【００７３】
（付記２）
付記１記載の通信装置において、
前記制御部は、前記送話信号の送信を停止させた後、前記検出部の出力が物体が近接している旨を示すものとなると、前記送話信号の送信の停止を解除することを特徴とする通信装置。
【００７４】
（付記３）
付記１または２記載の通信装置において、
前記制御部は、前記送話信号の送信を停止させた後、前記送話信号の送信の停止を解除する旨が入力されると、前記送話信号送信の停止を解除することを特徴とする通信装置。
【００７５】
（付記４）
付記１から３のいずれか１項に記載の通信装置において、
前記使用者に通知を行う通知部をさらに有し、
前記制御部は、前記送話信号の送信を停止している場合には、前記送話信号の送信を停止している旨を前記通知部に通知させることを特徴とする通信装置。
【００７６】
（付記５）
付記１から４のいずれか１項に記載の通信装置において、
記憶部をさらに有し、
前記制御部は、通話状態において前記検出部の出力が物体が近接していない旨を示すものとなると、前記通信部から出力された受話信号を前記記憶部に記憶させることを特徴とする通信装置。
【００７７】
（付記６）
付記５記載の通信装置において、
前記制御部は、前記記憶部に前記受話信号の記憶を開始させた後、前記検出部の出力が物体が近接している旨を示すものとなると、前記記憶部に記憶されている受話信号を前記受話部に再生させることを特徴とする通信装置。
【００７８】
（付記７）
付記５または６記載の通信装置において、
前記制御部は、前記記憶部に前記受話信号の記憶を開始させた後、前記検出部の出力が物体が近接している旨を示すものとなると、前記受話信号の前記記憶部への記憶を停止させることを特徴とする通信装置。
【００７９】
（付記８）
付記６記載の通信装置において、
前記制御部は、前記受話部に前記記憶部に記憶されている受話信号の再生速度を上げて再生させることを特徴とする通信装置。
【００８０】
（付記９）
付記６記載の通信装置において、
前記制御部は、前記記憶部に記憶されている受話信号のうち、音量が所定値以下の区間を特定し、該特定した区間以外の受話信号を前記受話部に再生させることを特徴とする通信装置。
【００８１】
（付記１０）
付記８または９記載の通信装置において、
前記制御部は、前記受話部により再生される前記記憶部に記憶されている受話信号に示される音声が前記通信部が受信する受話信号に示される音声に追い付くと、前記受話信号の前記記憶部への記憶を停止させることを特徴とする通信装置。
【００８２】
（付記１１）
入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、を有する通信装置の制御方法であって、
通話を行う旨が入力されると、前記送話部から出力された前記送話信号を前記通話相手先へ送信するとともに、前記通話相手先から受信した音声信号である受話信号を前記受話部に入力し、
通話状態において前記検出部の出力が物体が近接していない旨を示すものとなると、前記送話信号の送信を停止することを特徴とする通信装置の制御方法。
【００８３】
（付記１２）
付記１１記載の通信装置の制御方法において、
前記送話信号の送信を停止した後、前記検出部の出力が物体が近接している旨を示すものとなると、前記送話信号の送信の停止を解除することを特徴とする通信装置の制御方法。
【００８４】
（付記１３）
付記１１または１２記載の通信装置の制御方法において、
前記送話信号の送信の停止を解除する旨が入力されると、前記送話信号送信の停止を解除することを特徴とする通信装置の制御方法。
【００８５】
（付記１４）
付記１１から１３のいずれか１項に記載の通信装置の制御方法において、
前記送話信号の送信を停止している場合には、前記送話信号の送信を停止している旨を前記使用者に通知することを特徴とする通信装置の制御方法。
【００８６】
（付記１５）
付記１１から１４のいずれか１項に記載の通信装置の制御方法において、
通話状態において前記検出部の出力が物体が近接していない旨を示すものとなると、前記通信部から出力された受話信号を記憶することを特徴とする通信装置の制御方法。
【００８７】
（付記１６）
付記１５記載の通信装置の制御方法において、
前記受話信号の記憶を開始した後、前記検出部の出力が物体が近接している旨を示すものとなると、前記記憶している受話信号を前記受話部に再生させることを特徴とする通信装置の制御方法。
【００８８】
（付記１７）
付記１５または１６記載の通信装置の制御方法において、
前記受話信号の記憶を開始した後、前記検出部の出力が物体が近接している旨を示すものとなると、前記受話信号の記憶を停止することを特徴とする通信装置の制御方法。
【００８９】
（付記１８）
付記１６記載の通信装置の制御方法において、
前記受話部に前記記憶している受話信号の再生速度を上げて再生させることを特徴とする通信装置の制御方法。
【００９０】
（付記１９）
付記１６記載の通信装置の制御方法において、
前記記憶している受話信号のうち、音量が所定値以下の区間を特定し、該特定した区間以外の受話信号を前記受話部に再生させることを特徴とする通信装置の制御方法。
【００９１】
（付記２０）
付記１８または１９記載の通信装置の制御方法において、
前記受話部により再生される前記記憶している受話信号に示される音声が前記通信部が受信する受話信号に示される音声に追い付くと、前記受話信号の前記記憶を停止することを特徴とする通信装置の制御方法。
【００９２】
（付記２１）
入力された音声を示す音声信号である送話信号を出力する送話部と、入力された音声信号を再生する受話部と、通話状態において使用者の頭部に近接する位置に設けられ、物体の近接の有無を検出し、検出結果を出力する検出部と、を有する通信装置内のコンピュータに、
通話を行う旨が入力されると、前記送話部から出力された前記送話信号を前記通話相手先へ送信するとともに、前記通話相手先から受信した音声信号である受話信号を前記受話部に入力する処理と、
通話状態において前記検出部の出力が物体が近接していない旨を示すものとなると、前記送話信号の送信を停止する処理と、を実行させるプログラム。
【符号の説明】
【００９３】
１０，３０，６０    通信装置
１１    送話部
１２    受話部
１３    通信部
１４    近接センサー部
１５，３３，６２    制御部
３１    表示部
３２    操作部
３４    タッチパネル
５０    操作画面
５１    通知メッセージ
５２    ミュート解除ボタン
５３    通話終了ボタン
６１    記憶部
【図１】
2013219648.tif 000003
【図２】
2013219648.tif 000004
【図３】
2013219648.tif 000005
【図４】
2013219648.tif 000006
【図５】
2013219648.tif 000007
【図６】
2013219648.tif 000008
【図７】
2013219648.tif 000009